(57)【要約】【課題】  複数のバンドについての送信電力レベルの調整を行うことが可能な無線送信装置を提供する。【解決手段】  複数のバンドの各々と対応する複数の送信増幅部２０，３０と、複数の送信増幅部２０，３０のうち選択されたバンドと対応する１つの送信増幅部から出力される高周波信号を無線信号として送信するアンテナ１と、制御部１０を備える。送信増幅部２０，３０の各々はＡＧＣアンプ４，６を備える。制御部１０は、バンドの切替制御と、増幅率制御用に各ＡＧＣアンプ４，６に印加するＡＧＣ電圧の値の制御とを行う。送信電力レベルが所定の段階数で順次切り替わるようにＡＧＣ電圧を順次切り替える制御を、各バンド毎に順次行う。【選択図】    図１
2008048321.tif 000002
【特許請求の範囲】
【請求項１】
複数のバンドの無線信号を送信可能な無線送信装置において、
複数のバンドの各々と１対１で対応する複数の送信増幅部と、
前記複数の送信増幅部のうち選択されたバンドと対応する１つの送信増幅部から出力される高周波信号を無線信号として送信するアンテナと、
制御部と、
を備え、
前記送信増幅部の各々は選択されたバンドの高周波信号を増幅するＡＧＣアンプを備え、
前記制御部は、
バンドの切替制御と、
各ＡＧＣアンプの増幅率を制御するために各ＡＧＣアンプに印加するＡＧＣ電圧の値の制御と、
を行うものであり、
送信電力レベルが所定の段階数で順次切り替わるように前記ＡＧＣ電圧を順次切り替える制御を、各バンド毎に順次行うことを特徴とする無線送信装置。
【請求項２】
複数のバンドの各々と１対１で対応する複数の発振器と、
前記複数の発振器のうち選択されたバンドと対応する１つの発振器から出力される高周波信号を変調して前記複数の送信増幅部に出力する変調器と、
前記複数の送信増幅部のうち、選択されたバンドと対応する１つの送信増幅部を前記アンテナに接続させる送信増幅部切替スイッチと、
を備え、
前記制御部は、
前記複数の発振器のうち選択した何れか１つの発振器より対応するバンドの周波数の高周波信号を出力させる制御と、前記送信増幅部切替スイッチを制御して複数の送信増幅部のうち選択した何れか１つの送信増幅部を前記アンテナに接続させる制御と、を同期して行うことを特徴とする請求項１に記載の無線送信装置。
【請求項３】
複数のバンドの無線信号を送信可能な無線送信装置において、
複数のバンドの各々と１対１で対応する複数の送信増幅部と、
前記複数の送信増幅部のうち選択されたバンドと対応する１つの送信増幅部から出力される高周波信号を無線信号として送信するアンテナと、
選択されたバンドの高周波信号を増幅するＡＧＣアンプと、
前記ＡＧＣアンプを前記複数の送信増幅部のうち選択されたバンドと対応する１つの送信増幅部に接続させるＡＧＣアンプ接続先切替スイッチと、
制御部と、
を備え、
前記制御部は、
前記ＡＧＣアンプ接続先切替スイッチの切り替え制御を含むバンドの切替制御と、
前記ＡＧＣアンプの増幅率を制御するために前記ＡＧＣアンプに印加するＡＧＣ電圧の値の制御と、
を行うものであり、
送信電力レベルが所定の段階数で順次切り替わるように前記ＡＧＣ電圧を順次切り替える制御を、各バンド毎に順次行うことを特徴とする無線送信装置。
【請求項４】
複数のバンドの各々と１対１で対応する複数の発振器と、
前記複数の発振器のうち選択されたバンドと対応する１つの発振器から出力される高周波信号を変調して前記ＡＧＣアンプに出力する変調器と、
前記複数の送信増幅部のうち、選択されたバンドと対応する１つの送信増幅部を前記アンテナに接続させる送信増幅部切替スイッチと、
を備え、
前記制御部は、
前記複数の発振器のうち選択した何れか１つの発振器より対応するバンドの周波数の高周波信号を出力させる制御と、前記送信増幅部切替スイッチを制御して複数の送信増幅部のうち選択した何れか１つの送信増幅部を前記アンテナに接続させる制御と、前記ＡＧＣアンプ接続先切替スイッチを制御して前記ＡＧＣアンプを前記複数の送信増幅部のうち選択した何れか１つの送信増幅部に接続させる制御と、を同期して行うことを特徴とする請求項３に記載の無線送信装置。
【請求項５】
複数のバンドの無線信号を送受信可能な無線通信装置において、
請求項１乃至４の何れか一項に記載の無線送信装置を備えることを特徴とする無線通信装置。
【請求項６】
当該無線送信装置は携帯電話機であることを特徴とする請求項５に記載の無線通信装置。
【請求項７】
複数のバンドの無線信号を送信可能でありＡＧＣアンプの増幅率に応じて無線信号の送信電力レベルが変化する無線送信装置と、前記無線送信装置の送信電力レベルを測定する送信電力レベル測定装置と、前記送信電力レベル測定装置による測定結果に応じて前記無線送信装置の送信電力レベルの調整動作を制御する調整動作制御部と、を備える送信電力レベル調整システムにおいて、
前記調整動作制御部は、
送信電力レベルが所定の段階数で順次切り替わるように前記ＡＧＣ電圧を順次切り替える制御を前記無線送信装置に行わせる処理を、各バンド毎に順次行う第１の処理と、
前記第１の処理の際に前記送信電力レベル測定装置により測定された各段階の送信電力レベルが所望の値であるか否かを判定する第２の処理と、
を行うものであり、
前記第２の処理により、何れかの段階の送信電力レベルが所望の値でないと判定された場合に、所望の値でない段階の送信電力レベルを所望の値に近づけるよう前記ＡＧＣ電圧を前記無線送信装置に修正させて、再び前記第１の処理を行うことを特徴とする送信電力レベル調整システム。
【請求項８】
前記調整動作制御部は、
全てのバンドについて全ての段階の送信電力レベルが所望の値となるまで、前記第１及び第２の処理を繰り返し行うことを特徴とする請求項７に記載の送信電力レベル調整システム。
【請求項９】
複数のバンドの無線信号を送信可能であり、ＡＧＣアンプの増幅率に応じて無線信号の送信電力レベルが変化する無線送信装置の送信電力レベルを調整する方法において、
前記無線送信装置の送信電力レベルが所定の段階数で順次切り替わるように、前記ＡＧＣアンプの増幅率を制御するＡＧＣ電圧を順次切り替えることを、各バンド毎に順次行う第１の過程と、
前記第１の過程を行いながら、前記無線送信装置の送信電力レベルを測定する第２の過程と、
前記第２の過程により測定された各段階の送信電力レベルが所望の値であるか否かを判定する第３の過程と、
を備え、
前記第３の処理により、何れかの段階の送信電力レベルが所望の値でないと判定された場合に、所望の値でない段階の送信電力レベルを所望の値に近づけるよう前記ＡＧＣ電圧を修正する第４の過程を行ってから、再び前記第１及び第２の過程を行うことを特徴とする送信電力レベル調整方法。
【請求項１０】
前記第３の過程により、全てのバンドについて全ての段階の送信電力レベルが所望の値となったと判定されるまで、前記第１及び第２の過程を繰り返し行うことを特徴とする請求項９に記載の送信電力レベル調整方法。
【発明の詳細な説明】
【技術分野】
【０００１】
本発明は、無線送信装置、それを備える無線通信装置、その無線送信装置の送信電力レベルを調整する送信電力レベル調整システム及び送信電力レベル調整方法に関する。
【背景技術】
【０００２】
携帯電話機或いはその他の無線通信装置においては、所望の送信電力レベルを得るために、工場での生産段階において送信電力レベルの調整動作を行う。
【０００３】
携帯電話機は、例えば、高周波信号を発振する発振器と、この発振器から出力される高周波信号を変調する変調器と、この変調器から出力される変調後の高周波信号を増幅するＡＧＣアンプと、このＡＧＣアンプから出力される高周波信号を増幅するパワーアンプと、このパワーアンプから出力される高周波信号を無線信号として送信するアンテナと、ＡＧＣアンプに印加するＡＧＣ電圧を設定することによりＡＧＣアンプの増幅率を制御する制御部と、制御部から入力される制御信号をＤ／Ａ変換することによりＡＧＣ電圧に変換してＡＧＣアンプに印加するＤ／Ａコンバータと、送信電力に応じたＡＧＣ電圧を記憶する記憶部と、を備えている。
【０００４】
携帯電話機の制御部は、送信電力レベルが所望の値となるようにＡＧＣアンプの増幅率を制御し、複数の送信電力レベルの各々に応じたＡＧＣ電圧を記憶部に記憶する。
【０００５】
この調整動作では、携帯電話機外部の送信電力レベル測定装置により測定される送信電力が、複数の送信電力レベルの各々の値となるように、それぞれＡＧＣ電圧を調整し、調整された各ＡＧＣ電圧を記憶部に記憶する。
【０００６】
また、特許文献１の図６には、発振器と、この発振器から出力される高周波信号を変調する変調器と、この変調器により変調後の高周波信号の送信電力を制御する電力制御回路と、この電力制御回路から出力された高周波信号を増幅する電力増幅器と、この電力増幅器から出力される高周波信号を無線信号として送信するアンテナと、電力制御回路を制御するマイクロコンピュータと、Ｄ／Ａ変換回路と、電力増幅器からの出力先をアンテナ又は外部のパワーメータの何れか一方に選択的に切り替える切替スイッチと、を備える送信機が記載されている。
【特許文献１】特開２０００−３３２６２０号公報
【発明の開示】
【発明が解決しようとする課題】
【０００７】
ところで、近年では、複数のバンドでの無線通信が可能な無線通信装置が普及しているが、従来の技術では、複数のバンドについての送信電力レベルの調整ができない。
【０００８】
本発明は、上記のような問題点を解決するためになされたもので、複数のバンドについての送信電力レベルの調整を行うことが可能な無線送信装置、それを備える無線通信装置、その無線送信装置の送信電力レベルを調整する送信電力レベル調整システム及び送信電力レベル調整方法を提供することを目的とする。
【課題を解決するための手段】
【０００９】
上記課題を解決するため、本発明の無線送信装置は、複数のバンドの無線信号を送信可能な無線送信装置において、複数のバンドの各々と１対１で対応する複数の送信増幅部と、前記複数の送信増幅部のうち選択されたバンドと対応する１つの送信増幅部から出力される高周波信号を無線信号として送信するアンテナと、制御部と、を備え、前記送信増幅部の各々は選択されたバンドの高周波信号を増幅するＡＧＣアンプを備え、前記制御部は、バンドの切替制御と、各ＡＧＣアンプの増幅率を制御するために各ＡＧＣアンプに印加するＡＧＣ電圧の値の制御と、を行うものであり、送信電力レベルが所定の段階数で順次切り替わるように前記ＡＧＣ電圧を順次切り替える制御を、各バンド毎に順次行うことを特徴としている。
【００１０】
本発明の無線送信装置においては、複数のバンドの各々と１対１で対応する複数の発振器と、前記複数の発振器のうち選択されたバンドと対応する１つの発振器から出力される高周波信号を変調して前記複数の送信増幅部に出力する変調器と、前記複数の送信増幅部のうち、選択されたバンドと対応する１つの送信増幅部を前記アンテナに接続させる送信増幅部切替スイッチと、を備え、前記制御部は、前記複数の発振器のうち選択した何れか１つの発振器より対応するバンドの周波数の高周波信号を出力させる制御と、前記送信増幅部切替スイッチを制御して複数の送信増幅部のうち選択した何れか１つの送信増幅部を前記アンテナに接続させる制御と、を同期して行うことが好ましい。
【００１１】
また、本発明の無線送信装置は、複数のバンドの無線信号を送信可能な無線送信装置において、複数のバンドの各々と１対１で対応する複数の送信増幅部と、前記複数の送信増幅部のうち選択されたバンドと対応する１つの送信増幅部から出力される高周波信号を無線信号として送信するアンテナと、選択されたバンドの高周波信号を増幅するＡＧＣアンプと、前記ＡＧＣアンプを前記複数の送信増幅部のうち選択されたバンドと対応する１つの送信増幅部に接続させるＡＧＣアンプ接続先切替スイッチと、制御部と、を備え、前記制御部は、前記ＡＧＣアンプ接続先切替スイッチの切り替え制御を含むバンドの切替制御と、前記ＡＧＣアンプの増幅率を制御するために前記ＡＧＣアンプに印加するＡＧＣ電圧の値の制御と、を行うものであり、送信電力レベルが所定の段階数で順次切り替わるように前記ＡＧＣ電圧を順次切り替える制御を、各バンド毎に順次行うことを特徴としている。
【００１２】
本発明の無線送信装置においては、複数のバンドの各々と１対１で対応する複数の発振器と、前記複数の発振器のうち選択されたバンドと対応する１つの発振器から出力される高周波信号を変調して前記ＡＧＣアンプに出力する変調器と、前記複数の送信増幅部のうち、選択されたバンドと対応する１つの送信増幅部を前記アンテナに接続させる送信増幅部切替スイッチと、を備え、前記制御部は、前記複数の発振器のうち選択した何れか１つの発振器より対応するバンドの周波数の高周波信号を出力させる制御と、前記送信増幅部切替スイッチを制御して複数の送信増幅部のうち選択した何れか１つの送信増幅部を前記アンテナに接続させる制御と、前記ＡＧＣアンプ接続先切替スイッチを制御して前記ＡＧＣアンプを前記複数の送信増幅部のうち選択した何れか１つの送信増幅部に接続させる制御と、を同期して行うことが好ましい。
【００１３】
本発明の無線通信装置は、複数のバンドの無線信号を送受信可能な無線通信装置において、本発明の無線送信装置を備えることを特徴としている。
【００１４】
本発明の無線通信装置は、例えば、携帯電話機であることを好ましい一例としている。
【００１５】
本発明の送信電力レベル調整システムは、複数のバンドの無線信号を送信可能でありＡＧＣアンプの増幅率に応じて無線信号の送信電力レベルが変化する無線送信装置と、前記無線送信装置の送信電力レベルを測定する送信電力レベル測定装置と、前記送信電力レベル測定装置による測定結果に応じて前記無線送信装置の送信電力レベルの調整動作を制御する調整動作制御部と、を備える送信電力レベル調整システムにおいて、前記調整動作制御部は、送信電力レベルが所定の段階数で順次切り替わるように前記ＡＧＣ電圧を順次切り替える制御を前記無線送信装置に行わせる処理を、各バンド毎に順次行う第１の処理と、前記第１の処理の際に前記送信電力レベル測定装置により測定された各段階の送信電力レベルが所望の値であるか否かを判定する第２の処理と、を行うものであり、前記第２の処理により、何れかの段階の送信電力レベルが所望の値でないと判定された場合に、所望の値でない段階の送信電力レベルを所望の値に近づけるよう前記ＡＧＣ電圧を前記無線送信装置に修正させて、再び前記第１の処理を行うことを特徴としている。
【００１６】
本発明の送信電力レベル調整システムにおいては、前記調整動作制御部は、全てのバンドについて全ての段階の送信電力レベルが所望の値となるまで、前記第１及び第２の処理を繰り返し行う。
【００１７】
また、本発明の送信電力レベル調整方法は、複数のバンドの無線信号を送信可能であり、ＡＧＣアンプの増幅率に応じて無線信号の送信電力レベルが変化する無線送信装置の送信電力レベルを調整する方法において、前記無線送信装置の送信電力レベルが所定の段階数で順次切り替わるように、前記ＡＧＣアンプの増幅率を制御するＡＧＣ電圧を順次切り替えることを、各バンド毎に順次行う第１の過程と、前記第１の過程を行いながら、前記無線送信装置の送信電力レベルを測定する第２の過程と、前記第２の過程により測定された各段階の送信電力レベルが所望の値であるか否かを判定する第３の過程と、を備え、前記第３の処理により、何れかの段階の送信電力レベルが所望の値でないと判定された場合に、所望の値でない段階の送信電力レベルを所望の値に近づけるよう前記ＡＧＣ電圧を修正する第４の過程を行ってから、再び前記第１及び第２の過程を行うことを特徴としている。
【００１８】
本発明の送信電力レベル調整方法においては、前記第３の過程により、全てのバンドについて全ての段階の送信電力レベルが所望の値となったと判定されるまで、前記第１及び第２の過程を繰り返し行う。
【発明の効果】
【００１９】
本発明によれば、複数の周波数のバンドについての送信電力レベルの調整を自動的に行うことができる。
【発明を実施するための最良の形態】
【００２０】
以下、図面を参照して、本発明に係る実施形態について説明する。
【００２１】
〔第１の実施形態〕
図１は第１の実施形態に係る送信電力レベル調整システム１０００の構成を示すブロック図である。
【００２２】
図１に示すように、送信電力レベル調整システム１０００は、無線通信装置１００と、この無線通信装置１００の送信電力を計測する送信電力レベル測定装置２００と、この送信電力レベル測定装置２００による計測結果に応じて無線通信装置１００における送信電力レベルの調整動作を制御する調整動作制御部３００と、を備えて構成されている。
【００２３】
先ず、無線通信装置１００の構成を説明する。
【００２４】
本実施形態の場合、無線通信装置１００は、互いに周波数が異なる２つのバンドでの無線通信が可能である。
【００２５】
図１に示すように、無線通信装置１００は、第１のバンドの周波数の高周波信号を出力する第１の発振器７と、第２のバンドの周波数の高周波信号を出力する第２の発振器８と、第１の発振器７より出力された高周波信号又は第２の発振器８より出力された高周波信号をベースバンド信号ｃと乗算することにより変調する変調器９と、変調器９により変調された第１のバンドの周波数の高周波信号を増幅する第１の送信増幅部２０と、変調器９により変調された第２のバンドの周波数の高周波信号を増幅する第２の送信増幅部３０と、無線信号を送信するアンテナ１と、このアンテナ１を第１の送信増幅部２０又は第２の送信増幅部３０に対して択一的に接続させるバンド切替スイッチ２と、制御動作を行う制御部１０と、この制御部１０の制御下で情報を記憶する記憶部１１と、制御部１０から入力されるＡＧＣ制御信号ａをＤ／Ａ変換し第１及び第２のＡＧＣ電圧ｄ，ｅとして第１及び第２の送信増幅部２０，３０に出力するＤ／Ａコンバータ１２と、を備えて構成されている。
【００２６】
このうち第１の送信増幅部２０は、変調器９から高周波信号が入力される第１のＡＧＣアンプ４と、この第１のＡＧＣアンプ４の出力に入力が接続され、出力がバンド切替スイッチ２に接続された第１のパワーアンプ３と、を備えて構成されている。
【００２７】
同様に、第２の送信増幅部３０は、変調器９から高周波信号が入力される第２のＡＧＣアンプ６と、この第２のＡＧＣアンプ６の出力に入力が接続され、出力がバンド切替スイッチ２に接続された第２のパワーアンプ５と、を備えて構成されている。
【００２８】
Ｄ／Ａコンバータ１２が出力する第１のＡＧＣ電圧ｄは、第１のＡＧＣアンプ４の増幅率を制御する電圧である。すなわち、第１のＡＧＣアンプ４は、Ｄ／Ａコンバータ１２から入力される第１のＡＧＣ電圧ｄに応じた増幅率で、変調器９から入力される高周波信号を増幅する。
【００２９】
同様に、Ｄ／Ａコンバータ１２が出力する第２のＡＧＣ電圧ｅは、第２のＡＧＣアンプ６の増幅率を制御する電圧である。すなわち、第２のＡＧＣアンプ６は、Ｄ／Ａコンバータ１２から入力される第２のＡＧＣ電圧ｅに応じた増幅率で、変調器９から入力される高周波信号を増幅する。
【００３０】
制御部１０は、調整動作制御部３００からの指令に応じて、送信電力レベルの調整動作を開始する。
【００３１】
送信電力レベルの調整動作中には、制御部１０は、第１の発振器７から第１のバンドの周波数の高周波信号を出力する一方で第２の発振器８からは高周波信号を出力しない第１の状態と、第２の発振器８から第２のバンドの周波数の高周波信号を出力する一方で第１の発振器７からは高周波信号を出力しない第２の状態と、の切替制御を行う。
【００３２】
制御部１０は、第１の状態ではバンド切替信号ｂによりバンド切替スイッチ２を切替制御してアンテナ１を第１の送信増幅部２０に対して接続させる一方で、第２の状態ではバンド切替信号ｂによりバンド切替スイッチ２を切替制御してアンテナ１を第２の送信増幅部３０に対して接続させる。
【００３３】
このため、第１の状態では、変調器９は第１の発振器７から入力される第１のバンドの周波数の高周波信号を変調して出力し、該高周波信号は第１の送信増幅部２０により増幅されてアンテナ１より無線信号として送信される。
【００３４】
他方、第２の状態では、変調器９は第２の発振器８から入力される第２のバンドの周波数の高周波信号を変調して出力し、該高周波信号は第２の送信増幅部３０により増幅されてアンテナ１より無線信号として送信される。
【００３５】
また、送信電力レベルの調整動作の際には、制御部１０は、調整動作制御部３００からの指令に従い、所望の送信電力レベルが得られるようＡＧＣ制御信号ａにより第１及び第２のＡＧＣ電圧ｄ、ｅを複数段階の値（本実施形態の場合、例えば、３段階ずつ）に順次に調整し、第１のＡＧＣ電圧ｄの各々の値（例えば、３つの値）並びに第２のＡＧＣ電圧ｅの各々の値（例えば、３つの値）のそれぞれと送信電力レベルとを対応付けて記憶部１１に記憶させる。
【００３６】
すなわち、例えば、図３（ｃ）に示すように、制御部１０は、第１の状態では、第１のＡＧＣ電圧ｄを、例えば３段階の値（第１のＡＧＣ電圧ｄ１，ｄ２，ｄ３）に順次に調整し、各々の第１のＡＧＣ電圧ｄ１，ｄ２，ｄ３により第１のＡＧＣアンプ４の増幅率を順次に調整する。
【００３７】
そして、制御部１０は、第１のＡＧＣ電圧ｄの値が第１のＡＧＣ電圧ｄ１のときの送信電力レベルＬ１（図３（ａ））と第１のＡＧＣ電圧ｄ１とを対応付けて記憶部１１に記憶させ、第１のＡＧＣ電圧ｄの値が第１のＡＧＣ電圧ｄ２のときの送信電力レベルＬ２（図３（ａ））と第１のＡＧＣ電圧ｄ２とを対応付けて記憶部１１に記憶させ、第１のＡＧＣ電圧ｄの値が第１のＡＧＣ電圧ｄ３のときの送信電力レベルＬ３（図３（ａ））と第１のＡＧＣ電圧ｄ３とを対応付けて記憶部１１に記憶させる。
【００３８】
同様に、例えば、図３（ｃ）に示すように、制御部１０は、第２の状態では、第２のＡＧＣ電圧ｅを、例えば３段階の値（第２のＡＧＣ電圧ｅ１，ｅ２，ｅ３）に順次に調整し、各々の第２のＡＧＣ電圧ｅ１，ｅ２，ｅ３により第２のＡＧＣアンプ６の増幅率を順次に調整する。
【００３９】
そして、制御部１０は、第２のＡＧＣ電圧ｅの値が第２のＡＧＣ電圧ｅ１のときの送信電力レベルＬ４（図３（ｂ））と第２のＡＧＣ電圧ｅ１とを対応付けて記憶部１１に記憶させ、第２のＡＧＣ電圧ｅの値が第２のＡＧＣ電圧ｅ２のときの送信電力レベルＬ５（図３（ｂ））と第２のＡＧＣ電圧ｅ２とを対応付けて記憶部１１に記憶させ、第２のＡＧＣ電圧ｅの値が第２のＡＧＣ電圧ｅ３のときの送信電力レベルＬ６（図３（ｂ））と第２のＡＧＣ電圧ｅ３とを対応付けて記憶部１１に記憶させる。
【００４０】
このような調整動作は、送信電力レベルＬ１、Ｌ２、Ｌ３、Ｌ４、Ｌ５、Ｌ６の全ての測定値が所望の値となるまで、上記の第１の状態での調整動作と第２の状態での調整動作とを繰り返し行うことにより完了する。
【００４１】
この調整動作により、送信電力レベルＬ１、Ｌ２、Ｌ３、Ｌ４、Ｌ５、Ｌ６の全てが所望の値となるような第１のＡＧＣ電圧ｄ１、ｄ２、ｄ３並びに第２のＡＧＣ電圧ｅ１、ｅ２、ｅ３の値が、それぞれ対応する送信電力レベルＬ１、Ｌ２、Ｌ３、Ｌ４、Ｌ５、Ｌ６と１対１で対応付けられて記憶部１１に記憶された状態となる。
【００４２】
なお、図１には、無線通信装置１００の構成要素のうち、主に無線部の送信部（無線信号の送信動作を行う）が示されているが、無線通信装置１００は、図１に示す構成要素の他に、無線部の受信部（無線信号の受信動作を行う）、使用者による操作を受け付ける操作部、表示動作を行う表示部、発音動作を行う発音部（スピーカ）、受話動作を行う受話部（マイク）などを備えている。
【００４３】
また、送信電力レベル測定装置２００は、無線通信装置１００から送信される無線信号の送信電力レベルを測定し、その測定結果を調整動作制御部３００に対して出力する。
【００４４】
図２は調整動作制御部３００の構成を示すブロック図である。
【００４５】
図２に示すように、調整動作制御部３００は、送信電力レベル測定装置２００により測定される送信電力レベルの測定結果を判定する送信電力レベル判定部３０１と、送信電力レベル判定部３０１による判定結果に応じて第１及び第２のＡＧＣ電圧ｄ、ｅの設定値を制御部１０に変更させるＡＧＣ電圧設定部３０２と、を備えている。
【００４６】
このうちＡＧＣ電圧設定部３０２は、所定の契機（例えば、オペレータにより所定の操作が行わる、或いは、無線通信装置１００が調整動作制御部３００に接続される、など）が発生すると、無線通信装置１００の制御部１０に対して、送信電力レベルの調整動作を開始させる指令を出力するとともに、調整すべき送信電力レベルＬ１、Ｌ２、Ｌ３、Ｌ４、Ｌ５、Ｌ６のデータを通知する。
【００４７】
この指令に応じて、無線通信装置１００の制御部１０は、送信電力レベルの調整動作を開始し、調整動作制御部３００の制御下で、送信電力レベル（送信電力レベルＬ１〜Ｌ６）の全てが所望の値となるよう第１及び第２のＡＧＣ電圧ｄ１、ｄ２、ｄ３、ｅ１、ｅ２、ｅ３の値が調整されるまで、上記の第１の状態と、第２の状態と、を繰り返し切り替える。
【００４８】
送信電力レベル判定部３０１は、送信電力レベル測定装置２００から入力される送信電力レベルＬ１〜Ｌ６の各々の測定結果が、所望の値であるか所望の値に対して大きいか小さいかを判定し、その判定結果をＡＧＣ電圧設定部３０２に通知する。
【００４９】
ＡＧＣ電圧設定部３０２は、送信電力レベルＬ１〜Ｌ６の各々の測定結果が、所望の値である場合には、その旨を無線通信装置１００の制御部１０に通知し、送信電力レベルの調整動作を終了させる。
【００５０】
他方、送信電力レベルＬ１〜Ｌ６のうちの何れか１つ以上の測定結果が所望の値に対して小さいか大きい場合には、送信電力レベルの調整動作を継続させる。
【００５１】
すなわち、ＡＧＣ電圧設定部３０２は、送信電力レベルＬ１〜Ｌ６のうち、測定結果が所望の値に対して小さかった送信電力レベルについては送信電力レベルが上がるように、対応するＡＧＣ電圧（第１及び第２のＡＧＣ電圧ｄ１、ｄ２、ｄ３、ｅ１、ｅ２、ｅ３の何れか）の値を制御部１０に修正（上昇）させ、測定結果が所望の値に対して大きかった送信電力レベルについては送信電力レベルが下がるように、対応するＡＧＣ電圧（第１及び第２のＡＧＣ電圧ｄ１、ｄ２、ｄ３、ｅ１、ｅ２、ｅ３の何れか）の値を制御部１０に修正（低下）させる。
【００５２】
次に、送信電力レベルの調整動作を説明する。
【００５３】
図３（ｃ）は送信電力レベルの調整時に第１及び第２のＡＧＣアンプ４，６に対してそれぞれ入力される第１及び第２のＡＧＣ電圧ｄ、ｅのレベルを示すタイムチャートであり、図３（ａ）及び図３（ｂ）は送信電力レベルの調整時に送信電力レベル測定装置２００により測定される送信電力レベル（出力レベル）を示すタイムチャートである。
【００５４】
図３（ａ）は上記の第１状態のときの第１のバンドの周波数成分の出力レベルを示し、図３（ｂ）は上記の第２状態のときの第２のバンドの周波数成分の出力レベルを示す。
【００５５】
図３（ａ）及び図３（ｂ）において、横軸は時間、縦軸は出力レベルである。また、図３（ｃ）において、横軸は時間、縦軸は電圧レベルである。
【００５６】
本実施形態の場合、図３（ｃ）に示すように、それぞれ階段状に変化する３つずつの値の第１及び第２のＡＧＣ電圧ｄ、ｅを第１及び第２のＡＧＣアンプ４，６に入力する一方で、それぞれのＡＧＣ電圧ｄ、ｅのときの送信電力レベルを送信電力レベル測定装置２００により測定し、その測定結果を調整動作制御部３００の送信電力レベル判定部３０１により判定する。
【００５７】
先ず、調整動作制御部３００のＡＧＣ電圧設定部３０２は、無線通信装置１００の制御部１０に対して、送信電力レベルの調整動作を開始させる指令を出力するとともに、調整すべき送信電力レベルＬ１、Ｌ２、Ｌ３、Ｌ４、Ｌ５、Ｌ６のデータを通知する。
【００５８】
すると、制御部１０は、先ず、第１の発振器７に第１のバンドの周波数の高周波信号を発振させるとともに、バンド切替信号ｂによりバンド切替スイッチ２を制御してアンテナ１を第１の送信増幅部２０に接続させる。
【００５９】
更に、制御部１０は、送信電力レベルを送信電力レベルＬ１とすべく、第１のＡＧＣ電圧ｄが第１のＡＧＣ電圧ｄ１となるようなＡＧＣ制御信号ａをＤ／Ａコンバータ１２に出力する。
【００６０】
よって、Ｄ／Ａコンバータ１２は第１のＡＧＣ電圧ｄ１を第１のＡＧＣアンプ４に出力し、アンテナ１からは送信電力レベルＬ１の無線信号が出力される。
【００６１】
また、制御部１０は、そのときの第１のＡＧＣ電圧ｄ１と送信電力レベルＬ１とを対応付けて記憶部１１に記憶する。
【００６２】
送信電力レベル測定装置２００は、無線通信装置１００のアンテナ１から出力される送信電力レベルＬ１を測定し、測定結果を調整動作制御部３００の送信電力レベル判定部３０１に出力する。
【００６３】
送信電力レベル判定部３０１は、測定された送信電力レベルＬ１が所望の値であるか、或いは、所望の値に対して大きいか小さいかを判定し、その判定結果をＡＧＣ電圧設定部３０２に通知する。
【００６４】
ＡＧＣ電圧設定部３０２は、送信電力レベル判定部３０１から通知された送信電力レベルＬ１に関する判定結果を一時的に記憶する。
【００６５】
一方で、制御部１０では、上記のように第１のＡＧＣ電圧ｄ１と送信電力レベルＬ１とを対応付けて記憶部１１に記憶するのに引き続き、送信電力レベルを送信電力レベルＬ２とすべく、第１のＡＧＣ電圧ｄが第１のＡＧＣ電圧ｄ２となるようなＡＧＣ制御信号ａをＤ／Ａコンバータ１２に出力する。
【００６６】
よって、Ｄ／Ａコンバータ１２は第１のＡＧＣ電圧ｄ２を第１のＡＧＣアンプ４に出力し、アンテナ１からは送信電力レベルＬ２の無線信号が出力される。
【００６７】
また、制御部１０は、そのときの第１のＡＧＣ電圧ｄ２と送信電力レベルＬ２とを対応付けて記憶部１１に記憶する。
【００６８】
送信電力レベル測定装置２００は、無線通信装置１００のアンテナ１から出力される送信電力レベルＬ２を測定し、測定結果を調整動作制御部３００の送信電力レベル判定部３０１に出力する。
【００６９】
送信電力レベル判定部３０１は、測定された送信電力レベルＬ２が所望の値であるか、或いは、所望の値に対して大きいか小さいかを判定し、その判定結果をＡＧＣ電圧設定部３０２に通知する。
【００７０】
ＡＧＣ電圧設定部３０２は、送信電力レベル判定部３０１から通知された送信電力レベルＬ２に関する判定結果を一時的に記憶する。
【００７１】
一方で、制御部１０では、上記のように第１のＡＧＣ電圧ｄ２と送信電力レベルＬ２とを対応付けて記憶部１１に記憶するのに引き続き、送信電力レベルを送信電力レベルＬ３とすべく、第１のＡＧＣ電圧ｄが第１のＡＧＣ電圧ｄ３となるようなＡＧＣ制御信号ａをＤ／Ａコンバータ１２に出力する。
【００７２】
よって、Ｄ／Ａコンバータ１２は第１のＡＧＣ電圧ｄ３を第１のＡＧＣアンプ４に出力し、アンテナ１からは送信電力レベルＬ３の無線信号が出力される。
【００７３】
また、制御部１０は、そのときの第１のＡＧＣ電圧ｄ３と送信電力レベルＬ３とを対応付けて記憶部１１に記憶する。
【００７４】
送信電力レベル測定装置２００は、無線通信装置１００のアンテナ１から出力される送信電力レベルＬ３を測定し、測定結果を調整動作制御部３００の送信電力レベル判定部３０１に出力する。
【００７５】
送信電力レベル判定部３０１は、測定された送信電力レベルＬ３が所望の値であるか、或いは、所望の値に対して大きいか小さいかを判定し、その判定結果をＡＧＣ電圧設定部３０２に通知する。
【００７６】
ＡＧＣ電圧設定部３０２は、送信電力レベル判定部３０１から通知された送信電力レベルＬ３に関する判定結果を一時的に記憶する。
【００７７】
一方で、制御部１０では、上記のように第１のＡＧＣ電圧ｄ３と送信電力レベルＬ３とを対応付けて記憶部１１に記憶するのに引き続き、第１の発振器７による第１のバンドの周波数の高周波信号の発振動作は停止させる一方で、第２の発振器８による第２のバンドの周波数の高周波信号の発振動作を開始させるとともに、バンド切替信号ｂによりバンド切替スイッチ２を制御してアンテナ１を第２の送信増幅部３０に接続させる。
【００７８】
更に、制御部１０は、送信電力レベルを送信電力レベルＬ４とすべく、第２のＡＧＣ電圧ｅが第２のＡＧＣ電圧ｅ１となるようなＡＧＣ制御信号ａをＤ／Ａコンバータ１２に出力する。
【００７９】
よって、Ｄ／Ａコンバータ１２は第２のＡＧＣ電圧ｅ１を第２のＡＧＣアンプ６に出力し、アンテナ１からは送信電力レベルＬ４の無線信号が出力される。
【００８０】
また、制御部１０は、そのときの第２のＡＧＣ電圧ｅ１と送信電力レベルＬ４とを対応付けて記憶部１１に記憶する。
【００８１】
送信電力レベル測定装置２００は、無線通信装置１００のアンテナ１から出力される送信電力レベルＬ４を測定し、測定結果を調整動作制御部３００の送信電力レベル判定部３０１に出力する。
【００８２】
送信電力レベル判定部３０１は、測定された送信電力レベルＬ４が所望の値であるか、或いは、所望の値に対して大きいか小さいかを判定し、その判定結果をＡＧＣ電圧設定部３０２に通知する。
【００８３】
ＡＧＣ電圧設定部３０２は、送信電力レベル判定部３０１から通知された送信電力レベルＬ４に関する判定結果を一時的に記憶する。
【００８４】
一方で、制御部１０では、上記のように第２のＡＧＣ電圧ｅ１と送信電力レベルＬ４とを対応付けて記憶部１１に記憶するのに引き続き、送信電力レベルを送信電力レベルＬ５とすべく、第２のＡＧＣ電圧ｅが第２のＡＧＣ電圧ｅ２となるようなＡＧＣ制御信号ａをＤ／Ａコンバータ１２に出力する。
【００８５】
よって、Ｄ／Ａコンバータ１２は第２のＡＧＣ電圧ｅ２を第２のＡＧＣアンプ６に出力し、アンテナ１からは送信電力レベルＬ５の無線信号が出力される。
【００８６】
また、制御部１０は、そのときの第２のＡＧＣ電圧ｅ２と送信電力レベルＬ５とを対応付けて記憶部１１に記憶する。
【００８７】
送信電力レベル測定装置２００は、無線通信装置１００のアンテナ１から出力される送信電力レベルＬ５を測定し、測定結果を調整動作制御部３００の送信電力レベル判定部３０１に出力する。
【００８８】
送信電力レベル判定部３０１は、測定された送信電力レベルＬ５が所望の値であるか、或いは、所望の値に対して大きいか小さいかを判定し、その判定結果をＡＧＣ電圧設定部３０２に通知する。
【００８９】
ＡＧＣ電圧設定部３０２は、送信電力レベル判定部３０１から通知された送信電力レベルＬ５に関する判定結果を一時的に記憶する。
【００９０】
一方で、制御部１０では、上記のように第２のＡＧＣ電圧ｅ２と送信電力レベルＬ５とを対応付けて記憶部１１に記憶するのに引き続き、送信電力レベルを送信電力レベルＬ６とすべく、第２のＡＧＣ電圧ｅが第２のＡＧＣ電圧ｅ３となるようなＡＧＣ制御信号ａをＤ／Ａコンバータ１２に出力する。
【００９１】
よって、Ｄ／Ａコンバータ１２は第２のＡＧＣ電圧ｅ３を第２のＡＧＣアンプ６に出力し、アンテナ１からは送信電力レベルＬ６の無線信号が出力される。
【００９２】
また、制御部１０は、そのときの第２のＡＧＣ電圧ｅ３と送信電力レベルＬ６とを対応付けて記憶部１１に記憶する。
【００９３】
送信電力レベル測定装置２００は、無線通信装置１００のアンテナ１から出力される送信電力レベルＬ６を測定し、測定結果を調整動作制御部３００の送信電力レベル判定部３０１に出力する。
【００９４】
送信電力レベル判定部３０１は、測定された送信電力レベルＬ６が所望の値であるか、或いは、所望の値に対して大きいか小さいかを判定し、その判定結果をＡＧＣ電圧設定部３０２に通知する。
【００９５】
ＡＧＣ電圧設定部３０２は、送信電力レベル判定部３０１から通知された送信電力レベルＬ６に関する判定結果を一時的に記憶する。
【００９６】
続いて、ＡＧＣ電圧設定部３０２は、一時的に記憶している送信電力レベルＬ１〜Ｌ６に関する判定結果の全てが、送信電力レベルが所望の値である旨を示す場合には、その旨を制御部１０に通知し、送信電力レベルの調整動作を終了させる。
【００９７】
他方、一時的に記憶している送信電力レベルＬ１〜Ｌ６に関する判定結果のうち、何れか１つ以上が、送信電力レベルが所望の値ではない旨を示す場合には、送信電力レベルの調整動作を継続させる。
【００９８】
すなわち、ＡＧＣ電圧設定部３０２は、送信電力レベルＬ１〜Ｌ６のうち、所望の値よりも小さいものについては、その送信電力レベルを上げるように、対応するＡＧＣ電圧を上昇させる指令を制御部１０に通知する一方で、所望の値よりも大きいものについては、その送信電力レベルを下げるように、対応するＡＧＣ電圧を低下させる指令を制御部１０に通知する。
【００９９】
制御部１０は、このようにＡＧＣ電圧設定部３０２からＡＧＣ電圧の修正の指令を受けると、該当するＡＧＣ電圧（第１及び第２のＡＧＣ電圧ｄ１、ｄ２、ｄ３、ｅ１、ｅ２、ｅ３のうち、電圧を上昇又は低下させる旨の指令を受けたＡＧＣ電圧）を修正して、再度、上記のように、各送信電力レベルＬ１〜Ｌ６の無線信号を順次にアンテナ１から出力させる一方で、各送信電力レベルＬ１〜Ｌ６と対応するＡＧＣ電圧（第１及び第２のＡＧＣ電圧ｄ１、ｄ２、ｄ３、ｅ１、ｅ２、ｅ３）とを１対１で対応付けて記憶部１１に記憶（上書き）する。
【０１００】
こうして、最終的には、送信電力レベルＬ１〜Ｌ６の全てが所望の値となるように各ＡＧＣ電圧（第１及び第２のＡＧＣ電圧ｄ１、ｄ２、ｄ３、ｅ１、ｅ２、ｅ３）の値が調整されて、各送信電力レベルＬ１〜Ｌ６と、対応する第１及び第２のＡＧＣ電圧ｄ１、ｄ２、ｄ３、ｅ１、ｅ２、ｅ３と、が１対１で対応付けられて記憶部１１に記憶された状態となって、調整動作が終了する。
【０１０１】
なお、各送信電力レベルＬ１〜Ｌ６での無線信号の送信時間の長さは、一定の単位時間（例えば、数１０ｍｓ程度）とし、例えば、この送信時間中に、制御部１０による記憶部１１へのデータの記憶が行われる。
【０１０２】
以上のような第１の実施形態によれば、第１及び第２の周波数バンドについての送信電力レベルの調整を自動的に行うことができる。
【０１０３】
また、各送信電力レベルと各周波数バンドに応じた増幅率（Ｇａｉｎ）を一括で設定することができ、調整に必要とする時間を短縮することが可能となる。
【０１０４】
すなわち、単位時間で指定する送信電力レベルと周波数バンドに連動してＡＧＣ電圧を変更するため、第１及び第２のＡＧＣアンプ４，６の増幅率を送信電力レベル及び周波数バンドに応じて変更でき、送信電力レベル測定装置（スペクトラムアナライザー）を用いて、時間軸上において順次に各送信電力レベルを計測することにより、各送信電力レベルを所望の値に一括で調整することが可能となる。
【０１０５】
〔第２の実施形態〕
図４は第２の実施形態に係る送信電力レベル調整システム２０００の構成を示すブロック図である。
【０１０６】
第２の実施形態（図４）においては、上記の第１の実施形態（図１）におけるのと同様の構成要素には同一の符号を付し、その説明を省略する。
【０１０７】
図４に示すように、送信電力レベル調整システム２０００は、無線通信装置４００と、送信電力レベル測定装置２００と、調整動作制御部３００と、を備えて構成されている。
【０１０８】
無線通信装置４００は、以下に説明する点でのみ上記の第１の実施形態における無線通信装置１００と相違し、その他の点では無線通信装置１００と同様に構成されている。
【０１０９】
図４に示すように、無線通信装置４００においては、無線通信装置１００の構成に加えて、ＡＧＣアンプ１３と、バンド切替スイッチ１４と、を更に備える代わりに、無線通信装置４００の第１の送信増幅部２０が第１のＡＧＣアンプ４（図１）を備えておらず、第２の送信増幅部３０が第２のＡＧＣアンプ６（図１）を備えていない。
【０１１０】
無線通信装置４００においては、変調器９は変調後の高周波信号をＡＧＣアンプ１３に出力し、ＡＧＣアンプ１３は増幅後の高周波信号をバンド切替スイッチ１４に出力する。
【０１１１】
バンド切替スイッチ１４は、制御部１０からバンド切替信号ｂと同期して出力されるバンド切替信号ｆにより切り替え制御され、ＡＧＣアンプ１３の出力を、第１の送信増幅部２０（の第１のパワーアンプ３の入力）、又は、第２の送信増幅部３０（の第２のパワーアンプ５の入力）の何れか一方に選択的に接続させる。
【０１１２】
すなわち、第１の状態ではＡＧＣアンプ１３を第１の送信増幅部２０（の第１のパワーアンプ３）に接続させる一方で、第２の状態ではＡＧＣアンプ１３を第２の送信増幅部３０（の第２のパワーアンプ５）に接続させる。
【０１１３】
このように、本実施形態の場合、ＡＧＣアンプ１３を第１及び第２のバンドの周波数の送信系に共用するように無線通信装置４００が構成されている。
【０１１４】
また、本実施形態の場合、送信電力レベルの調整動作の際には、制御部１０は、調整動作制御部３００からの指令に従い、所望の送信電力レベルが得られるようＡＧＣ制御信号ａによりＡＧＣ電圧ｇを複数段階の値（本実施形態の場合、例えば、第１及び第２のバンド用にそれぞれ３段階ずつで合計６段階）に順次に調整し、ＡＧＣ電圧ｇの各々の値（例えば、６つの値）と送信電力レベルとを対応付けて記憶部１１に記憶させる。
【０１１５】
すなわち、例えば、図５（ｃ）に示すように、制御部１０は、第１の状態では、ＡＧＣ電圧ｇを、例えば３段階の値（ＡＧＣ電圧ｇ１，ｇ２，ｇ３）に順次に調整し、各々のＡＧＣ電圧ｇ１，ｇ２，ｇ３によりＡＧＣアンプ１３の増幅率を順次に調整する。
【０１１６】
そして、制御部１０は、ＡＧＣ電圧ｇの値がＡＧＣ電圧ｇ１のときの送信電力レベルＬ１（図５（ａ））とＡＧＣ電圧ｇ１とを対応付けて記憶部１１に記憶させ、ＡＧＣ電圧ｇの値がＡＧＣ電圧ｇ２のときの送信電力レベルＬ２（図５（ａ））とＡＧＣ電圧ｇ２とを対応付けて記憶部１１に記憶させ、ＡＧＣ電圧ｇの値がＡＧＣ電圧ｇ３のときの送信電力レベルＬ３（図５（ａ））とＡＧＣ電圧ｇ３とを対応付けて記憶部１１に記憶させる。
【０１１７】
同様に、例えば、図５（ｃ）に示すように、制御部１０は、第２の状態では、ＡＧＣ電圧ｇを、例えば３段階の値（ＡＧＣ電圧ｇ４，ｇ５，ｇ６）に順次に調整し、各々のＡＧＣ電圧ｇ４，ｇ５，ｇ６によりＡＧＣアンプ１３の増幅率を順次に調整する。
【０１１８】
そして、制御部１０は、ＡＧＣ電圧ｇの値がＡＧＣ電圧ｇ４のときの送信電力レベルＬ４（図５（ｂ））とＡＧＣ電圧ｇ４とを対応付けて記憶部１１に記憶させ、ＡＧＣ電圧ｇの値がＡＧＣ電圧ｇ５のときの送信電力レベルＬ５（図５（ｂ））とＡＧＣ電圧ｇ５とを対応付けて記憶部１１に記憶させ、ＡＧＣ電圧ｇの値がＡＧＣ電圧ｇ６のときの送信電力レベルＬ６（図５（ｂ））とＡＧＣ電圧ｇ６とを対応付けて記憶部１１に記憶させる。
【０１１９】
本実施形態でも、このような調整動作は、送信電力レベルＬ１、Ｌ２、Ｌ３、Ｌ４、Ｌ５、Ｌ６の全ての測定値が所望の値となるまで、上記の第１の状態での調整動作と第２の状態での調整動作とを繰り返し行うことにより完了する。
【０１２０】
この調整動作により、送信電力レベルＬ１、Ｌ２、Ｌ３、Ｌ４、Ｌ５、Ｌ６の全てが所望の値となるようなＡＧＣ電圧ｇ１、ｇ２、ｇ３、ｇ４、ｇ５、ｇ６３の値が、それぞれ対応する送信電力レベルＬ１、Ｌ２、Ｌ３、Ｌ４、Ｌ５、Ｌ６と１対１で対応付けられて記憶部１１に記憶された状態となる。
【０１２１】
また、本実施形態の場合、調整動作制御部３００のＡＧＣ電圧設定部３０２は、その送信電力レベル判定部３０１による判定結果に応じてＡＧＣ電圧ｇの設定値を制御部１０に変更させる。
【０１２２】
このうちＡＧＣ電圧設定部３０２は、所定の契機が発生すると、制御部１０に対して、送信電力レベルの調整動作を開始させる指令を出力するとともに、調整すべき送信電力レベルＬ１、Ｌ２、Ｌ３、Ｌ４、Ｌ５、Ｌ６のデータを通知する。
【０１２３】
この指令に応じて、制御部１０は、送信電力レベルの調整動作を開始し、調整動作制御部３００の制御下で、送信電力レベル（送信電力レベルＬ１〜Ｌ６）の全てが所望の値となるようＡＧＣ電圧ｇ１、ｇ２、ｇ３、ｇ４、ｇ５、ｇ６の値が調整されるまで、上記の第１の状態と、第２の状態と、を繰り返し切り替える。
【０１２４】
ＡＧＣ電圧設定部３０２は、送信電力レベルＬ１〜Ｌ６の各々の測定結果が、所望の値である場合には、その旨を無線通信装置４００の制御部１０に通知し、送信電力レベルの調整動作を終了させる。
【０１２５】
他方、送信電力レベルＬ１〜Ｌ６のうちの何れか１つ以上の測定結果が所望の値に対して小さいか大きい場合には、送信電力レベルの調整動作を継続させる。
【０１２６】
すなわち、ＡＧＣ電圧設定部３０２は、送信電力レベルＬ１〜Ｌ６のうち、測定結果が所望の値に対して小さかった送信電力レベルについては送信電力レベルが上がるように、対応するＡＧＣ電圧（ＡＧＣ電圧ｇ１、ｇ２、ｇ３、ｇ４、ｇ５、ｇ６の何れか）の値を制御部１０に修正（上昇）させ、測定結果が所望の値に対して大きかった送信電力レベルについては送信電力レベルが下がるように、対応するＡＧＣ電圧（ＡＧＣ電圧ｇ１、ｇ２、ｇ３、ｇ４、ｇ５、ｇ６の何れか）の値を制御部１０に修正（低下）させる。
【０１２７】
次に、送信電力レベルの調整動作を説明する。
【０１２８】
図５（ｃ）は送信電力レベルの調整時にＡＧＣアンプ１３に対して入力されるＡＧＣ電圧ｇのレベルを示すタイムチャートであり、図５（ａ）及び図５（ｂ）は送信電力レベルの調整時に送信電力レベル測定装置２００により測定される送信電力レベル（出力レベル）を示すタイムチャートである。
【０１２９】
図５（ａ）は上記の第１状態のときの第１のバンドの周波数成分の出力レベルを示し、図５（ｂ）は上記の第２状態のときの第２のバンドの周波数成分の出力レベルを示す。
【０１３０】
図５（ａ）及び図５（ｂ）において、横軸は時間、縦軸は出力レベルである。また、図５（ｃ）において、横軸は時間、縦軸は電圧レベルである。
【０１３１】
本実施形態の場合、図５（ｃ）に示すように、階段状に変化する６つの値のＡＧＣ電圧ｇをＡＧＣアンプ１３に入力する一方で、それぞれのＡＧＣ電圧ｇのときの送信電力レベルを送信電力レベル測定装置２００により測定し、その測定結果を調整動作制御部３００の送信電力レベル判定部３０１により判定する。
【０１３２】
先ず、調整動作制御部３００のＡＧＣ電圧設定部３０２は、無線通信装置４００の制御部１０に対して、送信電力レベルの調整動作を開始させる指令を出力するとともに、調整すべき送信電力レベルＬ１、Ｌ２、Ｌ３、Ｌ４、Ｌ５、Ｌ６のデータを通知する。
【０１３３】
すると、制御部１０は、先ず、第１の発振器７に第１のバンドの周波数の高周波信号を発振させるとともに、バンド切替信号ｂによりバンド切替スイッチ２を制御してアンテナ１を第１の送信増幅部２０に接続させるのに同期して、バンド切替信号ｆによりバンド切替スイッチ１４を制御してＡＧＣアンプ１３の出力を第１の送信増幅部２０に接続させる。
【０１３４】
更に、制御部１０は、送信電力レベルを送信電力レベルＬ１とすべく、ＡＧＣ電圧ｇがＡＧＣ電圧ｇ１となるようなＡＧＣ制御信号ａをＤ／Ａコンバータ１２に出力する。
【０１３５】
よって、Ｄ／Ａコンバータ１２はＡＧＣ電圧ｇ１をＡＧＣアンプ１３に出力し、アンテナ１からは送信電力レベルＬ１の無線信号が出力される。
【０１３６】
また、制御部１０は、そのときのＡＧＣ電圧ｇ１と送信電力レベルＬ１とを対応付けて記憶部１１に記憶する。
【０１３７】
送信電力レベル測定装置２００は、無線通信装置４００のアンテナ１から出力される送信電力レベルＬ１を測定し、測定結果を調整動作制御部３００の送信電力レベル判定部３０１に出力する。
【０１３８】
送信電力レベル判定部３０１は、測定された送信電力レベルＬ１が所望の値であるか、或いは、所望の値に対して大きいか小さいかを判定し、その判定結果をＡＧＣ電圧設定部３０２に通知する。
【０１３９】
ＡＧＣ電圧設定部３０２は、送信電力レベル判定部３０１から通知された送信電力レベルＬ１に関する判定結果を一時的に記憶する。
【０１４０】
一方で、制御部１０では、上記のようにＡＧＣ電圧ｇ１と送信電力レベルＬ１とを対応付けて記憶部１１に記憶するのに引き続き、送信電力レベルを送信電力レベルＬ２とすべく、ＡＧＣ電圧ｇがＡＧＣ電圧ｇ２となるようなＡＧＣ制御信号ａをＤ／Ａコンバータ１２に出力する。
【０１４１】
よって、Ｄ／Ａコンバータ１２はＡＧＣ電圧ｇ２をＡＧＣアンプ１３に出力し、アンテナ１からは送信電力レベルＬ２の無線信号が出力される。
【０１４２】
また、制御部１０は、そのときのＡＧＣ電圧ｇ２と送信電力レベルＬ２とを対応付けて記憶部１１に記憶する。
【０１４３】
送信電力レベル測定装置２００は、無線通信装置４００のアンテナ１から出力される送信電力レベルＬ２を測定し、測定結果を調整動作制御部３００の送信電力レベル判定部３０１に出力する。
【０１４４】
送信電力レベル判定部３０１は、測定された送信電力レベルＬ２が所望の値であるか、或いは、所望の値に対して大きいか小さいかを判定し、その判定結果をＡＧＣ電圧設定部３０２に通知する。
【０１４５】
ＡＧＣ電圧設定部３０２は、送信電力レベル判定部３０１から通知された送信電力レベルＬ２に関する判定結果を一時的に記憶する。
【０１４６】
一方で、制御部１０では、上記のようにＡＧＣ電圧ｇ２と送信電力レベルＬ２とを対応付けて記憶部１１に記憶するのに引き続き、送信電力レベルを送信電力レベルＬ３とすべく、ＡＧＣ電圧ｇがＡＧＣ電圧ｇ３となるようなＡＧＣ制御信号ａをＤ／Ａコンバータ１２に出力する。
【０１４７】
よって、Ｄ／Ａコンバータ１２はＡＧＣ電圧ｇ３を第１のＡＧＣアンプ１３に出力し、アンテナ１からは送信電力レベルＬ３の無線信号が出力される。
【０１４８】
また、制御部１０は、そのときのＡＧＣ電圧ｇ３と送信電力レベルＬ３とを対応付けて記憶部１１に記憶する。
【０１４９】
送信電力レベル測定装置２００は、無線通信装置１００のアンテナ１から出力される送信電力レベルＬ３を測定し、測定結果を調整動作制御部３００の送信電力レベル判定部３０１に出力する。
【０１５０】
送信電力レベル判定部３０１は、測定された送信電力レベルＬ３が所望の値であるか、或いは、所望の値に対して大きいか小さいかを判定し、その判定結果をＡＧＣ電圧設定部３０２に通知する。
【０１５１】
ＡＧＣ電圧設定部３０２は、送信電力レベル判定部３０１から通知された送信電力レベルＬ３に関する判定結果を一時的に記憶する。
【０１５２】
一方で、制御部１０では、上記のようにＡＧＣ電圧ｇ３と送信電力レベルＬ３とを対応付けて記憶部１１に記憶するのに引き続き、第１の発振器７による第１のバンドの周波数の高周波信号の発振動作は停止させる一方で、第２の発振器８による第２のバンドの周波数の高周波信号の発振動作を開始させるとともに、バンド切替信号ｂによりバンド切替スイッチ２を制御してアンテナ１を第２の送信増幅部３０に接続させるのに同期して、バンド切替信号ｆによりバンド切替スイッチ１４を制御してＡＧＣアンプ１３の出力を第２の送信増幅部３０に接続させる。
【０１５３】
更に、制御部１０は、送信電力レベルを送信電力レベルＬ４とすべく、ＡＧＣ電圧ｇがＡＧＣ電圧ｇ４となるようなＡＧＣ制御信号ａをＤ／Ａコンバータ１２に出力する。
【０１５４】
よって、Ｄ／Ａコンバータ１２はＡＧＣ電圧ｇ４をＡＧＣアンプ１３に出力し、アンテナ１からは送信電力レベルＬ４の無線信号が出力される。
【０１５５】
また、制御部１０は、そのときのＡＧＣ電圧ｇ４と送信電力レベルＬ４とを対応付けて記憶部１１に記憶する。
【０１５６】
送信電力レベル測定装置２００は、無線通信装置４００のアンテナ１から出力される送信電力レベルＬ４を測定し、測定結果を調整動作制御部３００の送信電力レベル判定部３０１に出力する。
【０１５７】
送信電力レベル判定部３０１は、測定された送信電力レベルＬ４が所望の値であるか、或いは、所望の値に対して大きいか小さいかを判定し、その判定結果をＡＧＣ電圧設定部３０２に通知する。
【０１５８】
ＡＧＣ電圧設定部３０２は、送信電力レベル判定部３０１から通知された送信電力レベルＬ４に関する判定結果を一時的に記憶する。
【０１５９】
一方で、制御部１０では、上記のようにＡＧＣ電圧ｇ４と送信電力レベルＬ４とを対応付けて記憶部１１に記憶するのに引き続き、送信電力レベルを送信電力レベルＬ５とすべく、ＡＧＣ電圧ｇがＡＧＣ電圧ｇ５となるようなＡＧＣ制御信号ａをＤ／Ａコンバータ１２に出力する。
【０１６０】
よって、Ｄ／Ａコンバータ１２はＡＧＣ電圧ｇ５をＡＧＣアンプ１３に出力し、アンテナ１からは送信電力レベルＬ５の無線信号が出力される。
【０１６１】
また、制御部１０は、そのときのＡＧＣ電圧ｇ５と送信電力レベルＬ５とを対応付けて記憶部１１に記憶する。
【０１６２】
送信電力レベル測定装置２００は、無線通信装置１００のアンテナ１から出力される送信電力レベルＬ５を測定し、測定結果を調整動作制御部３００の送信電力レベル判定部３０１に出力する。
【０１６３】
送信電力レベル判定部３０１は、測定された送信電力レベルＬ５が所望の値であるか、或いは、所望の値に対して大きいか小さいかを判定し、その判定結果をＡＧＣ電圧設定部３０２に通知する。
【０１６４】
ＡＧＣ電圧設定部３０２は、送信電力レベル判定部３０１から通知された送信電力レベルＬ５に関する判定結果を一時的に記憶する。
【０１６５】
一方で、制御部１０では、上記のようにＡＧＣ電圧ｇ５と送信電力レベルＬ５とを対応付けて記憶部１１に記憶するのに引き続き、送信電力レベルを送信電力レベルＬ６とすべく、ＡＧＣ電圧ｇがＡＧＣ電圧ｇ６となるようなＡＧＣ制御信号ａをＤ／Ａコンバータ１２に出力する。
【０１６６】
よって、Ｄ／Ａコンバータ１２はＡＧＣ電圧ｇ６をＡＧＣアンプ１３に出力し、アンテナ１からは送信電力レベルＬ６の無線信号が出力される。
【０１６７】
また、制御部１０は、そのときのＡＧＣ電圧ｇ６と送信電力レベルＬ６とを対応付けて記憶部１１に記憶する。
【０１６８】
送信電力レベル測定装置２００は、無線通信装置４００のアンテナ１から出力される送信電力レベルＬ６を測定し、測定結果を調整動作制御部３００の送信電力レベル判定部３０１に出力する。
【０１６９】
送信電力レベル判定部３０１は、測定された送信電力レベルＬ６が所望の値であるか、或いは、所望の値に対して大きいか小さいかを判定し、その判定結果をＡＧＣ電圧設定部３０２に通知する。
【０１７０】
ＡＧＣ電圧設定部３０２は、送信電力レベル判定部３０１から通知された送信電力レベルＬ６に関する判定結果を一時的に記憶する。
【０１７１】
続いて、ＡＧＣ電圧設定部３０２は、一時的に記憶している送信電力レベルＬ１〜Ｌ６に関する判定結果の全てが、送信電力レベルが所望の値である旨を示す場合には、その旨を制御部１０に通知し、送信電力レベルの調整動作を終了させる。
【０１７２】
他方、一時的に記憶している送信電力レベルＬ１〜Ｌ６に関する判定結果のうち、何れか１つ以上が、送信電力レベルが所望の値ではない旨を示す場合には、送信電力レベルの調整動作を継続させる。
【０１７３】
すなわち、ＡＧＣ電圧設定部３０２は、送信電力レベルＬ１〜Ｌ６のうち、所望の値よりも小さいものについては、その送信電力レベルを上げるように、対応するＡＧＣ電圧を上昇させる指令を制御部１０に通知する一方で、所望の値よりも大きいものについては、その送信電力レベルを下げるように、対応するＡＧＣ電圧を低下させる指令を制御部１０に通知する。
【０１７４】
制御部１０は、このようにＡＧＣ電圧設定部３０２からＡＧＣ電圧の修正の指令を受けると、該当するＡＧＣ電圧（ＡＧＣ電圧ｇ１、ｇ２、ｇ３、ｇ４、ｇ５、ｇ６のうち、電圧を上昇又は低下させる旨の指令を受けたＡＧＣ電圧）を修正して、再度、上記のように、各送信電力レベルＬ１〜Ｌ６の無線信号を順次にアンテナ１から出力させる一方で、各送信電力レベルＬ１〜Ｌ６と対応するＡＧＣ電圧（ＡＧＣ電圧ｇ１、ｇ２、ｇ３、ｇ４、ｇ５、ｇ６）とを１対１で対応付けて記憶部１１に記憶（上書き）する。
【０１７５】
こうして、最終的には、送信電力レベルＬ１〜Ｌ６の全てが所望の値となるように各ＡＧＣ電圧（ＡＧＣ電圧ｇ１、ｇ２、ｇ３、ｇ４、ｇ５、ｇ６）の値が調整されて、各送信電力レベルＬ１〜Ｌ６と、対応するＡＧＣ電圧ｇ１、ｇ２、ｇ３、ｇ４、ｇ５、ｇ６と、が１対１で対応付けられて記憶部１１に記憶された状態となって、調整動作が終了する。
【０１７６】
以上のような第２の実施形態によれば、上記の第１の実施形態と同様の効果が得られる他に、ＡＧＣアンプの数を低減できる。
【０１７７】
なお、上記の各実施形態では、バンドの数が２つである例を説明したが、バンドの数は３つ以上であっても良い。従って、バンドの数に応じて、送信増幅部の数、ＡＧＣアンプ及び発振器の数や、バンド切替スイッチの切り替え数を適宜に変更すると良い。
【０１７８】
また、図３（図３（ｃ））に示す例では、それぞれ階段状に変化する３つずつの値の第１及び第２のＡＧＣ電圧ｄ、ｅを第１及び第２のＡＧＣアンプ４，６に入力する例を示し、図５（図５（ｃ））に示す例では、階段状に変化する６つの値のＡＧＣ電圧ｇをＡＧＣアンプ１３に入力する例を示しているが、第１及び第２のＡＧＣ電圧ｄ、ｅ、ＡＧＣ電圧ｇの値の数は任意である。
【０１７９】
また、上記の各実施形態では、無線通信装置１００，４００（或いは無線送信装置）とは別個に調整動作制御部３００を設けた例を説明したが、無線通信装置１００，４００（或いは無線送信装置）が調整動作制御部３００の機能を備えることとしても良い。
【０１８０】
更に、上記の各実施形態では、無線通信装置１００，４００（或いは無線送信装置）とは別個に送信電力レベル測定装置２００を設けた例を説明したが、無線通信装置１００，４００（或いは無線送信装置）が送信電力レベル測定装置２００の機能を備えることとしても良い。
【０１８１】
また、無線通信装置１００，４００は、例えば、携帯電話機、ＰＨＳ或いはその他の携帯型無線通信装置であることが挙げられる。
【図面の簡単な説明】
【０１８２】
【図１】第１の実施形態に係る送信電力レベル調整システムの構成を示すブロック図である。
【図２】調整動作制御部の構成を示すブロック図である。
【図３】第１の実施形態におけるＡＧＣ電圧と送信電力レベルとの関係を示す図である。
【図４】第２の実施形態に係る送信電力レベル調整システムの構成を示すブロック図である。
【図５】第２の実施形態におけるＡＧＣ電圧と送信電力レベルとの関係を示す図である。
【符号の説明】
【０１８３】
１００    無線通信装置（無線通信装置、無線送信装置）
２０      第１の送信増幅部（送信増幅部）
３０      第２の送信増幅部（送信増幅部）
１        アンテナ
１０      制御部
４        第１のＡＧＣアンプ（ＡＧＣアンプ）
６        第２のＡＧＣアンプ（ＡＧＣアンプ）
２００    送信電力レベル測定装置
３００    調整動作制御部
１０００  送信電力レベル調整システム
７        第１の発振器（発振器）
８        第２の発振器（発振器）
９        変調器
２        バンド切替スイッチ（送信増幅部切替スイッチ）
４００    無線通信装置（無線通信装置）
１３      ＡＧＣアンプ
１４      バンド切替スイッチ（ＡＧＣアンプ接続先切替スイッチ）
２０００  送信電力レベル調整システム
【図１】
2008048321.tif 000003
【図２】
2008048321.tif 000004
【図３】
2008048321.tif 000005
【図４】
2008048321.tif 000006
【図５】
2008048321.tif 000007